(57)【特許請求の範囲】
【請求項１】
階段の上段から下段に至る表面を段部に沿って連続して被覆する一枚の長尺マットであって、発熱エレメントとして通電により発熱する可撓性発熱糸条を含有する面状発熱布を内部に埋入したゴム被覆体からなり、上記可撓性発熱糸条がゴム被覆体の長さ方向に沿って配置され、上記可撓性発熱糸条に接続する通電用の配線コードがゴム被覆体の長さ方向における側縁部において幅方向に沿って配置埋入され、かつ、上記可撓性発熱糸条を階段の段部に沿って配置し、上記配線コードを階段の幅方向に沿って配置するとともに、階段のエッジ部を覆うゴム被覆体の折曲部に滑り止めテープを被着してなることを特徴とする階段用融雪マット。
【発明の詳細な説明】
【０００１】
【発明の属する技術分野】
本発明は、降雪地帯での歩道橋や屋外の階段面の降雪を電熱で溶かすことにより積雪を防止する階段用融雪マットに関するものである。
【０００２】
【従来の技術】
これまで、歩道橋や屋外の階段に用いる階段用融雪マットとしては、発熱体を樹脂またはゴムで被覆して保護し耐久性を高めた平板状の面状発熱体が使用されているが、米国特許第４，９６７，０５７号明細書の図１に示すように、おどり場や各踏み板の表面に一段ごと別個に敷設されて使用されている。
【０００３】
しかし、上記の階段用融雪マットでは、階段のエッジ部が被覆できず露出したままなので、このエッジ部の降雪が融かされず積雪してしまう欠点があったし、短尺の融雪マットを階段の段数に応じて複数枚用意しなければならず、各マット同士をコードで連結して電源に接続する配線作業が必要とされ煩雑で効率が悪いという問題があった。
【０００４】
【発明が解決しようとする課題】
そこで、本発明者らは、上記の問題点を解消するものとして、階段の上段から下段に至る表面を段部に沿って連続して被覆する一枚の長尺マットで形成した階段用融雪マットを特願平１０−２９３５７５号として提案しているが、本発明はこれの改良にかかるもので、人が階段を歩行する際に常に踏みつける階段のエッジ部におけるマットの摩耗防止およびスリップ防止を図ることを目的とするものである。
【０００５】
【課題を解決するための手段】
本発明は、上記目的を達成するため、階段の上段から下段に至る表面を段部に沿って連続して被覆する一枚の長尺マットであって、発熱エレメントとして通電により発熱する可撓性発熱糸条を含有する面状発熱布を内部に埋入したゴム被覆体からなり、上記可撓性発熱糸条がゴム被覆体の長さ方向に沿って配置され、上記可撓性発熱糸条に接続する通電用の配線コードがゴム被覆体の長さ方向における側縁部において幅方向に沿って配置埋入され、かつ、上記可撓性発熱糸条を階段の段部に沿って配置し、上記配線コードを階段の幅方向に沿って配置するとともに、階段のエッジ部を覆うゴム被覆体の折曲部に滑り止めテープを被着して階段用融雪マットを構成するようにしたものである。
【０００６】
本発明によれば、発熱エレメントとして通電により発熱する可撓性発熱糸条を含有する面状発熱布を内部に埋入したゴム被覆体により、階段のエッジ部における積雪が防止されるのは勿論であるが、人間が階段の昇降時に最も強く踏みつけ易いエッジ部がゴム被覆体に被着した滑り止めテープにより保護されており、ゴム被覆体表面の摩耗が防止されるとともに、融雪により滑りやすくなったエッジ部でのスリップ事故を防止できる。
【０００７】
【実施例】
以下、本発明の一実施例を添付図面に従って説明する。
図１および図２は、階段に敷設する前の階段用融雪マット１の断面図および上部の被覆ゴム層を剥がした状態の平面図で、２，２は上下の被覆ゴム層、３は可撓性発熱糸条４を編み込んだ模紗織物等からなる面状発熱布、５は配線コードを示す。
【０００８】
上記融雪マット１は、例えば幅８５０ｍｍ，長さ３０００ｍｍ，厚み３ｍｍの大きさで薄肉かつ長尺に形成され、柔軟性を保持するよう被覆ゴム層２，２を形成するゴム材料の硬度（Ｈｓ：ＪＩＳ  Ａ）を７５度以下にしてある。
【０００９】
可撓性発熱糸条４としては、発熱体として好適な電気抵抗値を有するほか、ニクロム線等に比べて可撓性に優れ屈曲耐久性や引張強度の良好な発熱繊維、例えば金属繊維と有機繊維が混紡された発熱繊維やカーボン繊維などが使用され、この可撓性発熱糸条４と通常の合成繊維、天然繊維などの可撓性非導電性糸条とからなる織編物である面状発熱布３が上下の被覆ゴム層２，２に挟まれかつ複合一体化されている。
【００１０】
可撓性発熱糸条４は、面状発熱布３を構成する経糸群または緯糸群のいずれか一方に、あるいは経糸または緯糸挿入編みの挿入糸と用いられ、その織編物中の配置は被覆ゴム層の長さ方向すなわち階段の段部に沿う方向に沿ってなされている。なお、面状発熱布３の地組織としては、模紗織りやからみ織り等を採用し、その織物の密度を粗くして表面に網目状の大きな空隙を形成し、上下の被覆ゴム層２，２同士がこの空隙を通じて接着一体化できるようにするのが好ましい。
【００１１】
配線コード５，５は、図示しない電源から通電し可撓性発熱糸条４を発熱させるため圧着端子６を介して直接可撓性発熱糸条４に連結するもので、例えばガラス編素線付き耐熱シリコーン電線からなり、被覆ゴム層の長さ方向における両側縁部２ａ，２ｂにおいてその幅方向すなわち階段の幅方向に沿って配置埋入されている。
【００１２】
上記のような融雪マット１は、例えば未加硫のＥＰＤＭゴムシート上に上記面状発熱布３およびこれに連結した配線コード５，５を所定の位置に置き、次いでその上に、前記と同じＥＰＤＭゴムシートを被せ、２枚のゴムシートでサンドイッチにして挟持するとともにこれらを加熱加圧して加硫接着により一体化して面状ヒーターに形成され、図３に示すように、階段７の段部８表面に沿って折曲させて連続して敷設され、階段７の垂直部９において適宜な取付具（例えばアンカーボルト１０）により取り付け固定されている。
【００１３】
融雪マット１は、階段のエッジ部において略直角に折り曲げられた折曲部１１が構成され、この折曲部１１の表面には滑り止めテープ１２が被着されている。
【００１４】
滑り止めテープ１２としては、表面の滑り止め層を人造砥粒で形成しこれを基材（裏地）に接着剤で接着し、基材の裏面に粘着剤層を形成したもの（例えば日本コ−テッドアブレーシブ株式会社製「ノンスリップ」）が使用されるが、上記基材として布を用いた滑り止めテープが柔軟性があり、反復継続して踏みつけても亀裂を生じないので好ましい。なお、滑り止めテープは、通常、階段に融雪マットを敷設した後、裏紙を剥がして粘着剤層を折曲部に貼着するが、あらかじめ折曲部に該当する部位に滑り止めテープを被着した融雪マットを階段に敷設するようにしてもよい。
【００１５】
【発明の効果】
本発明によれば、階段のエッジ部を含む表面を一枚の長尺融雪マットにより連続的に被覆することにより、エッジ部の積雪を防止できるとともに、このエッジ部に被着した滑り止めテープにより、ゴム被覆体の摩耗を防ぎ製品寿命を高め、かつ、融雪した水により滑りやすい階段におけるスリップ事故を防ぎ安全歩行を期待することができる。
【図面の簡単な説明】
【図１】本発明の階段用融雪マットの一例を示す断面図である。
【図２】本発明の階段用融雪マットの一例を示し、上部の被覆ゴム層を剥がした状態の平面図である。
【図３】本発明の階段用融雪マットを階段に取り付けた状態を示す図である。
【符号の説明】
１  融雪マット
２  被覆ゴム層
３  面状発熱布
４  可撓性発熱糸条
５  配線コード
６  圧着端子
７  階段
８  段部
１１  折曲部
１２  滑り止めテープ
【図１】
0003817088.tif 000002
【図２】
0003817088.tif 000003
【図３】
0003817088.tif 000004